(57)【要約】【課題】  ペットボトルに屈曲ストローを差し込むのにどちらの端子を無差別に差し込んでも、ペットボトルのキャツプの開閉操作で、屈曲ストローがスムーズに収納と飛び出しの出来る左右対称での両用使いの出来る、屈曲ストローを提供する。【解決の手段】  屈曲自在な、曲げチューブ体３とストローからなる屈曲ストローＡにおいて、１本のストローの全長Ｌを少なくとも２分割１Ｌ或いは３分割での複数分割にし、これらの各々の接続端子１の間に所定の隙間２を設け、伸縮と屈曲自在でなる合成樹脂材加工の例えば、シリコンチューブや収縮ビニールチューブでなる、曲げチューブ体３を使い、双方の切り口４を接続し、該曲げチューブ体３位置は、ストローの両サイド側の吸い込み口５から対象位置に設定し、両用差し込み使用可能な構成にする。【選択図】図１
0003154116.tif 000002
【実用新案登録請求の範囲】
【請求項１】
屈曲自在な、曲げチューブ体３とストローからなる屈曲ストローＡにおいて、１本のストローの全長Ｌを少なくとも２分割１Ｌ或いは３分割での複数分割にし、これらの各々の接続端子１の間に所定の隙間２を設け、伸縮と屈曲自在でなる合成樹脂材加工の例えば、シリコンチューブや収縮ビニールチューブでなる、曲げチューブ体３を使い、双方の切り口４を接続し、該曲げチューブ体３位置は、ストローの両サイド側の吸い込み口５から対象位置に設定したことを特徴とする、屈曲ストローＡ。
【請求項２】
前記する１本のストロー全長Ｌを３分割での、これらの分割部に設けた曲げチューブ体３のそれぞれに近接して、折り曲げ自在の蛇腹６をストローに一体化したしたことを特徴とする請求項１記載の、屈曲ストローＡ。
【考案の詳細な説明】
【技術分野】
【０００１】  この考案は、ペットボトルに内蔵させる屈曲ストローに関し、詳しくは、ペットボトルの飲料を直飲みするのに、差し込んだままのストローを抜き取らずにキャップネジ閉め操作で、ペットボトル内に収納が出来、キャップ開け操作で、差し込まれたストローが自動飛び出しのする、ペットボトルの中に該ストローを収納のまま携帯持ち運びに使える、屈曲ストローの改良に関する。
【背景技術】
【０００２】  この種の従来の技術として、ペットボトルの飲料の吸い飲みに使う屈曲ストローが特許文献１に記載され開示されている。即ち、特許文献１での１実施例で、この屈曲ストローは該ストローの片端子の吸い込み口近くに蛇腹式の折り曲げと曲げ戻しの出来る曲げ部があり、他方の端子である差し込み口から所定の長さで切り離し、双方の切り口の間を適当に離し、その切り口の隙間に、加熱で収縮する屈曲自在で弾発力のある収縮ビニールチューブを、曲げチューブ体として使い、双方の切り口に接続して相互をこれらの、曲げチューブ体でつなぎ合わせた、屈曲ストローの構成が知られる。これらの屈曲ストローは、飲料の入ったペットボトルのキャップを取り外して、収縮ビニールチューブの差し込まれた、曲げチューブ体側の差し込み口から先に、ボトルの開口部に挿入し、反対の吸い込み口をボトルの開口部に出して蛇腹を曲げるなどして、飲料を吸い飲みし、飲み残りは飛び出している吸い込み口を其のまま、キャップの底部に押し当て、押しながらキャップをネジ締めするが、ストローの差し込み口はボトルの底に突き当りながら、ストローに設けた曲げチューブ体がキャップの押し圧で強制的に屈曲し、屈曲ストローの全長が短く縮む構成である。そして、再度飲料を飲むのにキャップを外した瞬間に曲げチューブ体の戻り反発力で屈曲ストローの吸い込み口が飛び出す仕組みで，携帯で持参するペットボトルに使う等で伸び縮み屈曲の、曲げチューブ体と蛇腹とで構成する、屈曲ストローである。【０００３】
【特許文献１】特開２００２−３６２６３４号公報
【考案の開示】
【考案が解決しようとする課題】
【０００４】  しかしながら、文献１で記載された屈曲ストローを何気なく、利用する人の口にくわえる吸い込み口とボトルの開口部に挿入する差し込み口を使い分けなしで、無造作にペットボトルに差し込んで場合、例えば、間違えて蛇腹のついた吸い込み口を先に、ボトルに挿入した場合、ボトルに挿入されたストローが蛇腹の反發力が働がない為、縮んで差し込まれたまま飛び出しが起きなという大きな課題が残る。
【課題を解決する為の手段】
【０００５】  この考案は、かかる課題を解決する為に、請求項１での考案は、図１、図２での全体を示しての斜視図で示す様に、屈曲ストローＡの両サイドのそれぞれの吸い込み口５から同じ間隔位置に、伸縮と屈曲自在でなる、曲げチューブ体３を設けた構成にし、どちらの吸い込み口５からペットボトルＢの開口部に挿入しても、収納と飛び出しの出来る左右対象でなる屈曲ストローの構成である。
【０００６】  また、請求項２での考案は、図５で示す様に、前記する吸い込み口５の近くに設けた対象位置での双方の曲げチューブ体３に近接して曲げ自在でなる蛇腹６を設けた構成にする。
【考案の効果】
【０００７】  本考案は、上述の通り構成作用するので、次の優れた効果を奏する。即ち、請求項１での効果は、本考案の屈曲ストローをストローの両サイドの吸い込み口を無差別にボトル開口部に差し込んでも、いずれもスムーズに収納と飛び出す、左右対称からなる両用使いの、屈曲ストローを提供出来る。
【０００８】  そしてまた、１本のストローを２分割構成での屈曲ストローは、中心部に曲げチューブ体を設けるだけの、シンプル構成で且つ、折り畳んで半分の長さで保管或いは、持ち運びが出来る屈曲ストローを提供出来る。
【０００９】  また、請求項２での効果は、前記する３分割での両サイドに設けた、曲げチューブ体に近接し、蛇腹を設けることでペットボトルから飛び出す端子を折り曲げ、好きな形態で飲料を飲むことのできる屈曲ストローを提供出来る。
【考案を実施するための最良の形態】
【００１０】  以下に、図示の実施例に基づいて、本考案を更に詳細に説明する。即ち、図１は本考案での第一実施例での全体を示しての斜視図で、狙いとするところは、ストローをペットボトルＢの開口部に差し込んで吸い飲みするのに、ストローのどちら側の吸い込み口５から挿入しても全く均等な機能を失う事の無い構成を具現化するもので、これらの屈曲ストローＡは、１本のＰＰ樹脂材等でなる全長Ｌを２分割１Ｌ（図１）或いは３分割（図２）にし、更には、それ以上の複数分割にし、（図示せず）これらの各々の切り離した接続端子１の間に所定の間隔２を設け、伸縮と屈曲自在でなるチューブで例えば、軟質なシリコンチューブや収縮ビニールチューブでなる個別の、曲げチューブ体３を使い、双方のストローの切り口４を前記する曲げチューブ体３の内径に差し込んで液洩れのないように接続するが、本実施例でのＩ例は収縮ビニールチューブを使っての双方の接続では、収縮ビニールチューブを使い、これらを加熱で縮める熱圧着での接続で、そしてまた、シリコンチューブでの接続はシリコンチューブの内径にストローの切り口４を無理嵌めする接続で実施されるが、これらの接続方法は特定するもので無く、また、曲げチューブ体３の材質等も他の材質例えば、ポリプロピレン樹脂等でも良く、本実施例に特定するものでない。【００１１】  次に図３は前記する本考案第一実施例での２分割屈曲ストローＡの使用例での全体を示しての斜視図で、図４は３分割屈曲ストローＡの使用例での全体を示しての斜視図で、いずれも、左右対称での屈曲ストローＡに構成することで、ペットボトルＢへの差し込みはストローの左右いずれの吸い込み口５を差し込んでも、収納時に負荷する曲げチューブ体３の屈曲度合い、そしてまた、キャップＣを開けた瞬時の吸い込み口５の飛び出しも、曲げチューブ体３の反發力ａ度合いはいずれも同等に作用することになり、誤使用の発生が無い、使い勝手の良い、屈曲ストローＡを具現化している。【００１２】  次に図５は本考案での第ニ実施例で、前記する３分割構成でなる屈曲ストローＡを基本ベースでの、左右対象に設けた曲げチューブ体３に近接して、折り曲げ自在の蛇腹６をストローに一体化での構成にし、飲料を吸い飲みするのに、蛇腹６を適時飲み易い形態にする、折り曲げの出来る従来構成での蛇腹６を、曲げチューブ体３の設定位置に近接し設けるが、本実施例では吸い込み口５側での曲げチューブ体３の側面に近接して設けている。図６は本考案での第ニ実施例での使用例での斜視図で、（ａ）図は収納された屈曲ストローは曲げチューブ体３の反発力ａで常時外部に飛び出し可能な構成である。
【図面の簡単な説明】
【００１３】
【図１】  本考案に係わる第一実施例での一部断面での全体を示す斜視図である。
【図２】  本考案に係わる第一実施例で他の例での全体を示す斜視図である。
【図３】  本考案に係わる第一実施例での使用例を示す斜視図である。
【図４】  本考案に係わる第一実施例での他の例での使用例を示す斜視図である。
【図５】  本考案に係わる第ニ実施例での全体を示す斜視図である。
【図６】  図中（ａ）は本考案に係わる第ニ実施例での使用例での斜視図である。図中（ｂ）は本考案に係わる第ニ実施例での他の使用例での要部斜視図である。
【符合の説明】
【００１４】Ａ      屈曲ストロー
ａ      反発力
Ｂ      ペットボトル
Ｃ      キャップ
Ｌ      全長
１Ｌ    ２分割
１      接続端子
２      隙間
３      曲げチューブ体
４      切り口
５      吸い込み口
６      蛇腹
【図１】
0003154116.tif 000003
【図２】
0003154116.tif 000004
【図３】
0003154116.tif 000005
【図４】
0003154116.tif 000006
【図５】
0003154116.tif 000007
【図６】
0003154116.tif 000008